(57)【要約】      （修正有）【課題】オートバイ等の運転時に使用するヘルメットにおいて、バイザ部材の後退姿勢以上の過大回動をシールド部材から切り離して行えるヘルメットを提供する。【解決手段】前面開口２を有するキャップＡの左右両側の装着部Ａ１に、シールド部材Ｂとバイザ部材Ｃとを回動自在に取り付ける。左右装着部Ａ１に、シールド部材Ｂのシールド取付部Ｂ１とバイザ部材Ｃのバイザ取付部Ｃ１とを回動自在に支持する支軸３と、シールド取付部Ｂ１及びバイザ取付部Ｃ１の回動を案内する回動案内部材とを設ける。回動案内部材とシールド取付部Ｂ１との間に、シールド部材Ｂの開閉範囲を設定する開閉設定手段を設け、回動案内部材とバイザ取付部Ｃ１との間に、シールド部材Ｂを閉鎖した状態でバイザ部材Ｃの進退範囲を設定する進退設定手段が前記シールド取付部Ｂ１を貫通して設ける。この進退設定手段はバイザ部材Ｃを進出姿勢Ｑ１と後退姿勢とこの後退姿勢から後退方向にさらに回動した過大回動姿勢Ｑ２とに設定する。【選択図】図１
0003165674.tif 000002
【実用新案登録請求の範囲】
【請求項１】
前面開口（２）を有するキャップ（Ａ）の左右両側の装着部（Ａ１）に、前記前面開口（２）を開閉可能なシールド部材（Ｂ）と、このシールド部材（Ｂ）の前面側に進退自在なバイザ部材（Ｃ）とが回動自在に取り付けられており、
前記左右装着部（Ａ１）には、前記シールド部材（Ｂ）の左右端部のシールド取付部（Ｂ１）とバイザ部材（Ｃ）の左右端部のバイザ取付部（Ｃ１）とを回動自在に支持する支軸（３）と、シールド取付部（Ｂ１）及びバイザ取付部（Ｃ１）の回動を案内する回動案内部材（４）とが設けられており、
前記回動案内部材（４）とシールド取付部（Ｂ１）との間には、シールド部材（Ｂ）の開閉範囲を設定する開閉設定手段（６）が設けられ、前記回動案内部材（４）とバイザ取付部（Ｃ１）との間には、前記シールド部材（Ｂ）を閉鎖した状態でバイザ部材（Ｃ）の進退範囲を設定する進退設定手段（７）が前記シールド取付部（Ｂ１）を貫通して設けられ、前記進退設定手段（７）はバイザ部材（Ｃ）を進出姿勢（Ｑ１）と後退姿勢とこの後退姿勢から後退方向にさらに回動した過大回動姿勢（Ｑ２）とに設定していることを特徴とするヘルメット。
【請求項２】
前記開閉設定手段（６）は、回動案内部材（４）に形成した円弧溝（４ａ）と、シールド取付部（Ｂ１）に設けられていて円弧溝（４ａ）に係合するシールド係合ピン（Ｂ２）とを有し、
前記進退設定手段（７）は、回動案内部材（４）に形成した前記円弧溝（４ａ）と、シールド取付部（Ｂ１）に形成した円弧孔（Ｂ３）と、バイザ取付部（Ｃ１）に設けられていて円弧孔（Ｂ３）を貫通して前記円弧溝（４ａ）に係合するバイザ係合ピン（Ｃ２）とを有することを特徴とする請求項１に記載のヘルメット。
【請求項３】
前記円弧溝（４ａ）内において、シールド取付部（Ｂ１）はシールド部材（Ｂ）開放時にバイザ係合ピン（Ｃ２）を同伴移動可能であり、バイザ係合ピン（Ｃ２）はバイザ部材（Ｃ）後退移動時に単独移動可能であることを特徴とする請求項２に記載のヘルメット。
【請求項４】
前記支軸（３）の軸心方向中途部にはシールド取付部（Ｂ１）を軸外方向抜け止めするシールド保持軸部（３ａ）が形成され、支軸（３）の外端部にはバイザ取付部（Ｃ１）を嵌着するバイザ嵌着軸部（３ｂ）が形成されていることを特徴とする請求項１〜３のいずれか１項に記載のヘルメット。
【請求項５】
前記バイザ取付部（Ｃ１）とバイザ嵌着軸部（３ｂ）との間には、バイザ部材（Ｃ）を後退姿勢に回動した状態でバイザ取付部（Ｃ１）をバイザ嵌着軸部（３ｂ）に嵌脱自在に嵌合し、この後退姿勢からバイザ部材（Ｃ）を進出方向に回動することにより、バイザ取付部（Ｃ１）を軸外方向抜け止めする嵌着機構（８）が設けられていることを特徴とする請求項４に記載のヘルメット。
【請求項６】
前記嵌着機構（８）は、バイザ取付部（Ｃ１）とバイザ嵌着軸部（３ｂ）との間に、バイザ嵌着軸部（３ｂ）からのバイザ取付部（Ｃ１）の離脱を阻止しかつバイザ部材（Ｃ）を進出姿勢にした状態で解除可能なロック手段（９）が設けられていることを特徴とする請求項５に記載のヘルメット。
【請求項７】
前記キャップ（Ａ）の左右両側の装着部（Ａ１）に、前記前面開口（２）の下部に位置しかつ前面開口（２）の上部まで前記支軸（３）を中心に回動可能な顎隠し部材（Ｄ）が取り付けられており、この顎隠し部材（Ｄ）の左右各端部の顎隠し取付部（Ｄ１）に前記回動案内部材（４）が設けられていることを特徴とする請求項１〜６のいずれか１項に記載のヘルメット。
【請求項８】
前記装着部（Ａ１）に基板部材（１１）が固着され、この基板部材（１１）と前記回動案内部材（４）との間に、顎隠し部材（Ｄ）の回動を案内しかつ回動範囲を設定する顎隠し回動手段（１２）が設けられていることを特徴とする請求項７に記載のヘルメット。
【請求項９】
前記顎隠し回動手段（１２）は、前記基板部材（１１）に形成された円弧状のガイド溝（１１ａ）と、前記回動案内部材（４）に設けられていてガイド溝（１１ａ）と係合するガイドピン（４ｂ）とを有していることを特徴とする請求項８に記載のヘルメット。
【請求項１０】
前記バイザ部材（Ｃ）の上縁には、シールド部材（Ｂ）との間を流れる風に左右方向で粗密を形成する整流部（Ｃａ）が形成されていることを特徴とする請求項１〜９のいずれか１項に記載のヘルメット。
【考案の詳細な説明】
【技術分野】
【０００１】
本考案は、シールド部材及びバイザ部材を有するヘルメットに関する。
【背景技術】
【０００２】
オートバイ等の運転で使用するヘルメットの従来技術においては、特許文献１に開示されているように、キャップを備えるタイプの安全ヘルメットであって、前記キャップは、前記キャップの前面開口の側面に蝶番式に取り付けられ、かつ、前記前面開口を遮る位置と前記開口に対して持ち上げられた位置との間で移動し得る少なくとも１つのシールド部材と、前記キャップの前記前面開口の前記側面に蝶番式に取り付けられ、かつ、前記キャップおよび前記少なくとも１つのシールド部材に対して回転可能な少なくとも１つのバイザ部材とを備え、前記少なくとも１つのシールド部材に対する前記少なくとも１つのバイザ部材の相対回転を、いずれの回転方向にも所定の角度間隔内のみで許容する第１手段を備え、双方の回転方向のどちらか一方で、前記所定の角度間隔の範囲を超えたときは、バイザ部材は前記少なくとも１つのシールド部材と一緒に回転するようになっている。
【先行技術文献】
【特許文献】
【０００３】
【特許文献１】特開２００６−２３３４号公報
【考案の概要】
【考案が解決しようとする課題】
【０００４】
前記従来技術は、バイザ部材はシールド部材との間で相対回転自在になっており、そのため、バイザ部材が遮蔽位置から退避する方向に回転し、かつその回転が所定の角度間隔の範囲を超えたときにシールド部材を同伴回転することになり、バイザ部材の所定角度間隔以上の回転をシールド部材から切り離して行わせることが困難になっている。
本考案は、このような従来技術の問題点を解決できるようにしたヘルメットを提供することを目的とする。
【０００５】
本考案は、バイザ部材の後退姿勢以上の過大回動をシールド部材から切り離して行えるようにしたヘルメットを提供することを目的とする。
【課題を解決するための手段】
【０００６】
本考案における課題解決のための具体的手段は、次の通りである。
第１に、前面開口２を有するキャップＡの左右両側の装着部Ａ１に、前記前面開口２を開閉可能なシールド部材Ｂと、このシールド部材Ｂの前面側に進退自在なバイザ部材Ｃとが回動自在に取り付けられており、
前記左右装着部Ａ１には、前記シールド部材Ｂの左右端部のシールド取付部Ｂ１とバイザ部材Ｃの左右端部のバイザ取付部Ｃ１とを回動自在に支持する支軸３と、シールド取付部Ｂ１及びバイザ取付部Ｃ１の回動を案内する回動案内部材４とが設けられており、
前記回動案内部材４とシールド取付部Ｂ１との間には、シールド部材Ｂの開閉範囲を設定する開閉設定手段６が設けられ、前記回動案内部材４とバイザ取付部Ｃ１との間には、前記シールド部材Ｂを閉鎖した状態でバイザ部材Ｃの進退範囲を設定する進退設定手段７が前記シールド取付部Ｂ１を貫通して設けられ、前記進退設定手段７はバイザ部材Ｃを進出姿勢と後退姿勢とこの後退姿勢から後退方向にさらに回動した過大回動姿勢とに設定していることを特徴とする。
【０００７】
第２に、前記開閉設定手段６は、回動案内部材４に形成した円弧溝４ａと、シールド取付部Ｂ１に設けられていて円弧溝４ａに係合するシールド係合ピンＢ２とを有し、
前記進退設定手段７は、回動案内部材４に形成した前記円弧溝４ａと、シールド取付部Ｂ１に形成した円弧孔Ｂ３と、バイザ取付部Ｃ１に設けられていて円弧孔Ｂ３を貫通して前記円弧溝４ａに係合するバイザ係合ピンＣ２とを有することを特徴とする。
【０００８】
第３に、前記円弧溝４ａ内において、シールド取付部Ｂ１はシールド部材Ｂ開放時にバイザ係合ピンＣ２を同伴移動可能であり、バイザ係合ピンＣ２はバイザ部材Ｃ後退移動時に単独移動可能であることを特徴とする。
第４に、前記支軸３の軸心方向中途部にはシールド取付部Ｂ１を軸外方向抜け止めするシールド保持軸部３ａが形成され、支軸３の外端部にはバイザ取付部Ｃ１を嵌着するバイザ嵌着軸部３ｂが形成されていることを特徴とする。
【０００９】
第５に、前記バイザ取付部Ｃ１とバイザ嵌着軸部３ｂとの間には、バイザ部材Ｃを後退姿勢に回動した状態でバイザ取付部Ｃ１をバイザ嵌着軸部３ｂに嵌脱自在に嵌合し、この後退姿勢からバイザ部材Ｃを進出方向に回動することにより、バイザ取付部Ｃ１を軸外方向抜け止めする嵌着機構８が設けられていることを特徴とする。
第６に、前記嵌着機構８は、バイザ取付部Ｃ１とバイザ嵌着軸部３ｂとの間に、バイザ嵌着軸部３ｂからのバイザ取付部Ｃ１の離脱を阻止しかつバイザ部材Ｃを進出姿勢にした状態で解除可能なロック手段９が設けられていることを特徴とする。
【００１０】
第７に、前記キャップＡの左右両側の装着部Ａ１に、前記前面開口２の下部に位置しかつ前面開口２の上部まで前記支軸３を中心に回動可能な顎隠し部材Ｄが取り付けられており、この顎隠し部材Ｄの左右各端部の顎隠し取付部Ｄ１に前記回動案内部材４が設けられていることを特徴とする。
第８に、前記装着部Ａ１に基板部材１１が固着され、この基板部材１１と前記回動案内部材４との間に、顎隠し部材Ｄの回動を案内しかつ回動範囲を設定する顎隠し回動手段１２が設けられていることを特徴とする。
【００１１】
第９に、前記顎隠し回動手段１２は、前記基板部材１１に形成された円弧状のガイド溝１１ａと、前記回動案内部材４に設けられていてガイド溝１１ａと係合するガイドピン４ｂとを有していることを特徴とする。
第１０に、前記バイザ部材Ｃの上縁には、シールド部材Ｂとの間を流れる風に左右方向で粗密を形成する整流部Ｃａが形成されていることを特徴とする。
【考案の効果】
【００１２】
本考案によれば、バイザ部材の後退姿勢以上の過大回動をシールド部材から切り離して行うことができる。
【図面の簡単な説明】
【００１３】
【図１】本考案の実施形態を示す側面図である。
【図２】正面図である。
【図３】外面から見た装着部の分解斜視図である。
【図４】内面から見た装着部の分解斜視図である。
【図５】支軸の斜視図である。
【図６】バイザ部材を外した装着部の側面図である。
【図７】バイザ部材及びシールド部材を外した装着部の側面図である。
【図８】バイザ取付部の内面図である。
【図９】キャップの装着部の側面図である。
【図１０】図１のＸ−Ｘ線断面図である。
【図１１】図１のＹ−Ｙ線断面図である。
【考案を実施するための形態】
【００１４】
以下、本考案の実施の形態を図面に基づいて説明する。
図１、２において、ヘルメット１は、前面開口２を有して頭蓋に嵌合されるキャップＡが本体となっており、このキャップＡに前面開口２を開閉回動可能なシールド部材Ｂと、このシールド部材Ｂの前面側の遮蔽位置へ進退回動自在なバイザ部材Ｃと、前記前面開口２の下部（使用位置）に位置しかつ前面開口２の上部まで上下回動可能な顎隠し部材Ｄとが装着されている。
【００１５】
図１、２の実線状態において、シールド部材Ｂは閉鎖姿勢Ｐ１、バイザ部材Ｃは進出姿勢Ｑ１、顎隠し部材Ｄは下回動した顎隠し姿勢Ｒをそれぞれ示しており、図１の仮想線状態において、シールド部材Ｂは開放姿勢Ｐ２、バイザ部材Ｃは後退姿勢（バイザ部材Ｃの下縁が前面開口２の上縁近傍に位置する。）を越えた過大回動姿勢Ｑ２をそれぞれ示している。バイザ部材Ｃの上下幅はシールド部材Ｂより狭く、７割前後である。
【００１６】
図１、２、１０、１１において、前記キャップＡは、硬質樹脂又は金属で形成された外殻Ａａの内面に発泡スチロール等の発泡樹脂製の緩衝材Ａｂを添設して形成されており、着用者の頭蓋の頭頂、頭背及び左右頭側を覆い、着用者の顔面及び首に対応する部分は開放されており、顔面に対向する部分は前面開口２となっており、左右頭側を覆う耳対応部分には装着部Ａ１が形成され、顎に対向する部分は顎隠し部材Ｄによって開閉自在になっていて、この顎隠し部材Ｄを上昇させた状態で着用するようになっている。
【００１７】
顎隠し部材ＤはキャップＡと略同様に、硬質樹脂又は金属で形成された外殻の内面に発泡スチロール等の発泡樹脂製の緩衝材を添設して形成されており、平面視略円弧形状であり、中央に空気流通部Ｄａが形成され、左右両端部はキャップＡの左右装着部Ａ１に取り付けられる顎隠し取付部Ｄ１となっている。なお、前記空気流通部Ｄａにはバスクカバーが装着される。
【００１８】
図１〜１１において、シールド部材Ｂは、前面開口２からキャップＡ内への風雨の侵入を規制する風防部材であり、光透過率の高い樹脂で平面視略円弧形状に形成されており、左右両端部はキャップＡの左右装着部Ａ１に取り付けられるシールド取付部Ｂ１となっていて、前記顎隠し取付部Ｄ１の外側方に配置されている。シールド部材Ｂは、下縁の左右中央からはずれた位置に開閉操作用の指掛け部Ｂａが形成されている。
【００１９】
バイザ部材Ｃは、前面開口２からキャップＡ内への光線の侵入を制限するサンバイザであり、光遮蔽率の高い樹脂、又は着色された樹脂で平面視略円弧形状に形成されており、左右両端部はキャップＡの左右装着部Ａ１に取り付けられるバイザ取付部Ｃ１となっていて、前記シールド取付部Ｂ１の外側方に配置されている。
前記バイザ部材Ｃの上縁の左右中央からはずれた位置には、シールド部材Ｂ側へ突出した左右一対の整流部Ｃａが形成されている。この左右整流部Ｃａは、シールド部材Ｂの表面に沿って風が流れ、その風がバイザ部材Ｃとの間を通るときに流れる風を左右に整流（区画）し、左右方向で風の粗密を形成する。この左右整流部Ｃａで風を整流することにより、風切り音を減少できる。この左右整流部Ｃａはシールド部材Ｂの上縁と当接してもよい。
【００２０】
また、前記バイザ部材Ｃは、下縁の左右中央からはずれた位置に進退操作用の指掛け部Ｃｂが形成されており、シールド部材Ｂに対して単独回動操作自在になっている。
図３、４、９〜１１において、前記左右各装着部Ａ１を形成するキャップＡの外殻Ａａの内面には基礎部材１５が固着され、外面の基板部材１１が外殻Ａａを挟んで基礎部材１５にネジを介して固着されており、また、基礎部材１５には雌ネジ１５ａが形成されていて、この雌ネジ１５ａに螺合する取付ネジ１６によって支軸３が基礎部材１５及び基板部材１１に対して固着されている。
【００２１】
前記基板部材１１には、支軸３が貫通する貫通孔１１ｂと、支軸３を廻り止めするために係止する係止孔１１ｃと、貫通孔１１ｂを中心とする円弧状のガイド溝１１ａとが形成されており、このガイド溝１１ａに後述する回動案内部材４のガイドピン４ｂが挿入されている。
前記ガイド溝１１ａの長手方向両端には溝内側へ突出した位置規制部１８が形成され、ガイドピン４ｂがガイド溝１１ａの両端から中央側へ移動するときに抵抗を与えるようになっている。
【００２２】
基板部材１１におけるガイド溝１１ａの径外側は薄肉になっていて、ガイドピン４ｂが両端の位置規制部１８を乗り越えて中央側へ移動できるように形成されている。
顎隠し部材Ｄの左右各端部の顎隠し取付部Ｄ１は、その内面側が基板部材１１に当接しており、外面には凹部Ｄａが形成され、この凹部Ｄａに回動案内部材４が嵌め込まれて着脱可能に装着されている。
【００２３】
顎隠し取付部Ｄ１には角溝Ｄｂと２つの孔Ｄｃとが形成され、この角溝Ｄｂと２つの孔Ｄｃとに回動案内部材４の係合爪４ｃと係合ピン４ｄとガイドピン４ｂとが係合しており、これによって回動案内部材４を顎隠し取付部Ｄ１に一体化しており、回動案内部材４を含めて、顎隠し部材Ｄの顎隠し取付部Ｄ１が構成されている。
ガイドピン４ｂは係合ピン４ｄより長く、顎隠し取付部Ｄ１を貫通して基板部材１１のガイド溝１１ａに係合している。
【００２４】
前記基板部材１１に形成されたガイド溝１１ａと、前記回動案内部材４に設けられていてガイド溝１１ａと係合するガイドピン４ｂとによって、基板部材１１と回動案内部材４との間で、顎隠し部材Ｄの回動を案内しかつ回動範囲を設定する顎隠し回動手段１２が構成されている。
顎隠し部材Ｄは、顎隠し回動手段１２のガイド溝１１ａの長手方向両端に形成した位置規制部１８によって、下降した顎隠し姿勢Ｒ（使用姿勢）と上昇したキャップ着脱姿勢とに姿勢設定される。
【００２５】
顎隠し取付部Ｄ１と回動案内部材４とには、支軸３が貫通する貫通孔２０ａ、２０ｂと、この貫通孔２０ａ、２０ｂから扇形状に拡大形成された規制凹部２１ａ、２１ｂと、貫通孔２０ａ、２０ｂを中心とする円弧形状であって後述するシールド部材Ｂのシールド係合ピンＢ２が係合する円弧凹部２２及び円弧溝４ａとが略同一形状でかつ重合して形成されている。
【００２６】
回動案内部材４の円弧溝４ａは顎隠し取付部Ｄ１の円弧凹部２２より若干狭い溝であり、円弧溝４ａの長手方向両端には溝内側へ突出した隆起部によって、シールド位置決め部２３ａ、２３ｂとバイザ位置決め部２４ａ、２４ｂとが形成され、また、円弧溝４ａの径外側は細溝２５が形成され、円弧溝４ａの径外側壁を薄肉に形成しており、この薄肉によって、円弧溝４ａが溝幅を拡縮弾性変形できるようにしている。
【００２７】
回動案内部材４の内面側にはＣ型軸受部２６が形成され、このＣ型軸受部２６が顎隠し取付部Ｄ１の貫通孔２０ａ内に嵌入して基板部材１１に当接しており、また、回動案内部材４の外面側にはＣ型突起部２７が形成され、このＣ型突起部２７がシールド部材Ｂの左右各端部のシールド取付部Ｂ１と当接している。
前記回動案内部材４のＣ型軸受部２６及びＣ型突起部２７によって、顎隠し部材Ｄの左右各端部の顎隠し取付部Ｄ１及びシールド部材Ｂの左右各端部のシールド取付部Ｂ１における回動するときの摩擦抵抗を減少させている。
【００２８】
シールド取付部Ｂ１には、回動案内部材４と同様に、支軸３が貫通する貫通孔２９と、この貫通孔２９から扇形状に拡大形成された規制凹部３０と、貫通孔２９の外面周囲のＣ型突起部３１と、貫通孔２９を中心とする円弧形状であって後述するバイザ部材Ｃのバイザ係合ピンＣ２が挿通する円弧孔Ｂ３とが形成され、内面側に前記円弧溝４ａと係合するシールド係合ピンＢ２が突設されている。円弧溝４ａにはシールド係合ピンＢ２とともにバイザ係合ピンＣ２も係合している。
【００２９】
シールド係合ピンＢ２は円弧孔Ｂ３の略延長上に位置し、円弧孔Ｂ３は円弧溝４ａより短く、シールド係合ピンＢ２と円弧孔Ｂ３とを合計した長さが円弧溝４ａと略同じになっており、シールド係合ピンＢ２が円弧溝４ａの端部に係合した状態で、円弧孔Ｂ３の全長が円弧溝４ａと略対向するようになっている。
前記回動案内部材４に形成した円弧溝４ａと、シールド取付部Ｂ１に設けられていて円弧溝４ａに係合するシールド係合ピンＢ２とによって、シールド部材Ｂを閉鎖姿勢Ｐ１と開放姿勢Ｐ２との間で回動する開閉範囲を設定する開閉設定手段６が構成されている。
【００３０】
図３〜６、１０、１１において、支軸３は取付ネジ１６が挿入可能な中空軸であり、取付ネジ１６を挿入して基礎部材１５に螺合することにより、支軸３は基礎部材１５及びキャップＡに対して固着されている。
支軸３の外周面は軸心方向に段付きになっていて、軸心方向中途部にはシールド取付部Ｂ１を軸外方向抜け止めするシールド保持軸部３ａが形成され、軸端部にはシールド保持軸部３ａより大径のフランジ状に形成され、このフランジ状部分の端面及び周囲にバイザ取付部Ｃ１を嵌着するためのバイザ嵌着軸部３ｂが形成されている。
【００３１】
また、支軸３の外周面には、シールド保持軸部３ａからバイザ嵌着軸部３ｂにかけて、軸心方向に沿って前記規制凹部２１ａ、２１ｂ、３０と対向する規制凸部３ｃが立設されている。
この規制凸部３ｃの先端に突起３４が突設されていて、基板部材１１の係止孔１１ｃと係合することにより、支軸３は廻り止めされ、顎隠し部材Ｄ、シールド部材Ｂ及びバイザ部材Ｃの回動基準となっている。
【００３２】
規制凸部３ｃに対して、顎隠し取付部Ｄ１及び回動案内部材４の規制凹部２１ａ、２１ｂが嵌合することにより、規制凹部２１ａ、２１ｂの幅内で顎隠し部材Ｄは回動可能であり、シールド取付部Ｂ１の規制凹部３０が嵌合することにより、規制凹部３０の幅内でシールド部材Ｂは回動可能であり、それぞれ最大回動範囲が設定されている。
支軸３のバイザ嵌着軸部３ｂは、フランジ部３５と、規制凸部３ｃと略同一位置にフランジ部３５から突設された角度決めピン部３８と、軸端面に形成されかつ導入口３６ａ、３７ａを有する第１回動溝部３６及び第２回動溝部３７とを有している。
【００３３】
前記バイザ取付部Ｃ１とバイザ嵌着軸部３ｂとの間には、バイザ部材Ｃを後退姿勢に回動した状態でバイザ取付部Ｃ１をバイザ嵌着軸部３ｂに嵌脱自在に嵌合し、この後退姿勢からバイザ部材Ｃを進出方向に回動することにより、バイザ取付部Ｃ１を軸外方向抜け止めする嵌着機構８が設けられている。
この嵌着機構８は、バイザ嵌着軸部３ｂからのバイザ取付部Ｃ１の離脱を阻止しかつバイザ部材Ｃを進出姿勢にした状態で解除可能なロック手段９を有する。
【００３４】
バイザ部材Ｃのバイザ取付部Ｃ１の内面には、図８に示すように、前記支軸３のフランジ部３５と係合する左右一対のＬ字係合部３９と、角度決めピン部３８と係合可能な３連凹部４１ａ、４１ｂ、４１ｃと、導入口３６ａから入って第１回動溝部３６と係脱自在に係合する係合凸部４２とを有している。
前記３連凹部４１ａ、４１ｂ、４１ｃの間は凸部となっていて、バイザ取付部Ｃ１は回動するときに角度決めピン部３８から回動抵抗を受ける。第１凹部４１ａの側方には突条部４１ｄが形成されている。
【００３５】
バイザ部材Ｃは、角度決めピン部３８に対して、第１凹部４１ａで係合する位置が後退姿勢（着脱位置）になり、突条部４１ｄで係合する位置が後退姿勢からさらに後退方向に回動した過大回動姿勢Ｑ２になり、第３凹部４１ｃで係合する位置が進出姿勢Ｑ１になり、第２凹部４１ｂで係合する位置が進退方向中間の姿勢となる。
前記バイザ部材Ｃのバイザ取付部Ｃ１には矩形状の凹部４４が形成されていて、この凹部４４にロック手段９のロック部材４５がバイザ取付部Ｃ１の中央から外方向移動可能に設けられている。
【００３６】
このロック部材４５の内面にフランジ部３５と係合する左右一対のＬ字状のロック係合部４５ａと、導入口３７ａから入って第２回動溝部３７と係合可能なロック突起４５ｂとを有している。
前記バイザ取付部Ｃ１の凹部４４の周囲には、ロック部材４５の左右縁部を内外方向移動可能に案内するレール４４ａと、ロック部材４５の先端の掛止部４５ｃを掛止する止め部４４ｂとが形成されている。前記ロック部材４５は掛止部４５ｃを押すことにより止め部４４ｂから離脱でき、その離脱状態でレール４４ａに沿って外方向移動（ロック解除）させることができる。
【００３７】
前記バイザ取付部Ｃ１の嵌着は、ロック部材４５をロック解除状態に開いておいて、バイザ部材Ｃを後退姿勢に配置して、バイザ取付部Ｃ１を中心がずれた状態で支軸３のバイザ嵌着軸部３ｂに当てがう。
そうすると、バイザ係合ピンＣ２がシールド取付部Ｂ１に形成した円弧孔Ｂ３を貫通して円弧溝４ａに係合し、第１凹部４１ａとが角度決めピン部３８と対向し、バイザ取付部Ｃ１の中心を支軸３の軸心に合わせる方向の移動が可能となり、バイザ取付部Ｃ１の中心を支軸３の軸心に合わせていくと、左右一対のＬ字係合部３９がフランジ部３５と係合し、係合凸部４２が導入口３６ａから入って第１回動溝部３６と係合する。
【００３８】
前記バイザ取付部Ｃ１の位置合わせが目視できるように、支軸３のバイザ嵌着軸部３ｂにはノッチ４７が形成されていて、ロック部材４５の先端略及びバイザ取付部Ｃ１の止め部４４ｂの端縁と平行に見えるようになっている。
バイザ取付部Ｃ１を係合状態で支軸３廻りに回動して、第３凹部４１ｃを角度決めピン部３８に対向させ、バイザ部材Ｃを進出姿勢Ｑ１まで回動すると、ロック部材４５のロック突起４５ｂが第２回動溝部３７の導入口３７ａに対向し、ロック部材４５は前進可能になる。
【００３９】
ロック部材４５を前進させてロック突起４５ｂを導入口３７ａから入れて第２回動溝部３７に係合させると、左右一対のＬ字状のロック係合部４５ａがフランジ部３５と係合し、また、掛止部４５ｃが止め部４４ｂと係合し、ロック状態になる。
バイザ部材Ｃはロック部材４５をロックした状態で進退回動自在になり、掛止部４５ｃを止め部４４ｂから外してロック部材４５をロック解除しないと、支軸３から離脱できない装着状態となる。
【００４０】
前記回動案内部材４に形成した前記円弧溝４ａと、シールド取付部Ｂ１に形成した円弧孔Ｂ３と、バイザ取付部Ｃ１に設けられていて円弧孔Ｂ３を貫通して前記円弧溝４ａに係合するバイザ係合ピンＣ２とによって、シールド部材Ｂを閉鎖した状態でバイザ部材Ｃを進出姿勢Ｑ１と後退姿勢と過大回動姿勢Ｑ２との間で進退範囲を設定する進退設定手段７が構成されている。
【００４１】
図６、７において、円弧溝４ａに係合しているシールド係合ピンＢ２及びバイザ係合ピンＣ２は円弧溝４ａの長さの範囲内で移動でき、シールド部材Ｂが閉鎖姿勢Ｐ１で、バイザ部材Ｃが進出姿勢Ｑ１のとき、シールド係合ピンＢ２及びバイザ係合ピンＣ２はそれぞれシールド位置決め部２３ａとバイザ位置決め部２４ａとに係合している。
この状態からバイザ部材Ｃは単独で後退移動可能であり、バイザ係合ピンＣ２を上側シールド位置決め部２３ｂに係合すると後退姿勢となり、バイザ係合ピンＣ２を上側バイザ位置決め部２４ｂに係合すると過大回動姿勢Ｑ２となる。そして、バイザ部材Ｃはバイザ位置決め部２４ａとシールド位置決め部２３ｂとの間で進退移動可能になり、また、進出姿勢Ｑ１と退避姿勢とに保持できる。
【００４２】
前記シールド係合ピンＢ２がシールド位置決め部２３ａに係合している状態からシールド部材Ｂを開放回動させると、バイザ係合ピンＣ２を同伴移動させながらシールド位置決め部２３ｂまで移動し、バイザ係合ピンＣ２を強制的にバイザ位置決め部２４ｂまで押動する。
バイザ部材Ｃを過大回動姿勢Ｑ２にしているとき、シールド部材Ｂは上下のシールド位置決め部２３ａ、２３ｂの間で単独開閉回動可能になり、また、閉鎖姿勢Ｐ１と開放姿勢Ｐ２とに保持できる。
【００４３】
バイザ部材Ｃの上下幅はシールド部材Ｂの７割前後であるので、シールド部材Ｂを開放姿勢Ｐ２にすると、バイザ部材Ｃは後退姿勢を維持できなく、後退姿勢よりさらに後退方向に回動して過大回動姿勢Ｑ２となる。逆に、バイザ部材Ｃを過大回動姿勢Ｑ２にしておかなければ、バイザ部材Ｃを回動することなくシールド部材Ｂを単独開閉することはできない。
［作用］
前記ヘルメットは次のような作用を奏する。
【００４４】
バイザ部材Ｃの進退範囲を設定する進退設定手段７は、シールド取付部Ｂ１を貫通していて、シールド部材Ｂの開閉範囲を設定する開閉設定手段６を構成する回動案内部材４との間に設けられ、バイザ部材Ｃを進出姿勢Ｑ１と後退姿勢とこの後退姿勢から後退方向にさらに回動した過大回動姿勢Ｑ２とに設定しているので、バイザ部材Ｃの回転をシールド部材Ｂから切り離して行うことができ、シールド部材Ｂを同伴回転させることなく、バイザ部材Ｃを後退でき、また、バイザ部材Ｃをを同伴回転させることなく、シールド部材Ｂを開閉回動させることができる。
【００４５】
前記進退設定手段７は、バイザ取付部Ｃ１に設けたバイザ係合ピンＣ２を、シールド取付部Ｂ１に形成した円弧孔Ｂ３を貫通して、回動案内部材４に形成した円弧溝４ａを共通使用して係合させることにより、簡単かつ安価に構成することができ、組立ても容易になる。
円弧溝４ａを共通使用することにより、シールド取付部Ｂ１はシールド部材Ｂ開放時にバイザ係合ピンＣ２を同伴移動可能になり、シールド部材Ｂ閉鎖姿勢でバイザ係合ピンＣ２はバイザ部材Ｃ後退移動時に単独移動可能になる。
【００４６】
支軸３の軸心方向中途部に形成したシールド保持軸部３ａによって、シールド取付部Ｂ１の軸外方向抜け止めができ、支軸３の外端部に形成したバイザ嵌着軸部３ｂによって、バイザ取付部Ｃ１を嵌着しておくことができる。
嵌着機構８は、バイザ部材Ｃを後退姿勢に回動した状態でバイザ取付部Ｃ１をバイザ嵌着軸部３ｂに嵌脱自在に嵌合し、この後退姿勢からバイザ部材Ｃを進出方向に回動することにより、バイザ取付部Ｃ１を軸外方向抜け止めするので、バイザ取付部Ｃ１の安易な嵌脱を防止しながら確実な抜け止めをすることができる。また、シールド部材Ｂを開放姿勢にしたとき、バイザ部材Ｃは過大回動状態となり、後退姿勢でないので安易な嵌脱が防止できる。
【００４７】
嵌着機構８はロック手段９を設けておくことにより、バイザ嵌着軸部３ｂからのバイザ取付部Ｃ１の離脱を確実に阻止することができる。ロック手段９が解除されても、バイザ部材Ｃを後退姿勢まで回動しないと、バイザ嵌着軸部３ｂから離脱できなく、バイザ部材Ｃの不用意な離脱を防止できる。
前面開口２の下部に顎隠し部材Ｄを配置することができ、顎隠し部材Ｄが設けられていても、シールド部材Ｂを開閉自在に及びバイザ部材Ｃを進退自在に設けておくことができる。
【００４８】
基板部材１１と回動案内部材４との間の顎隠し回動手段１２によって、顎隠し部材Ｄの回動を案内できかつ回動範囲を設定することができる。
顎隠し回動手段１２は、基板部材１１に形成された円弧状のガイド溝１１ａと、回動案内部材４に設けられていてガイド溝１１ａと係合するガイドピン４ｂとによって簡単に構成できる。
【００４９】
バイザ部材Ｃの上縁に整流部Ｃａを形成することにより、シールド部材Ｂとの間を流れる風に左右方向で粗密を形成でき、風切り音を低減できる。
なお、本考案は前記実施形態における各部材の形状及びそれぞれの前後・左右・上下の位置関係は、図１〜１１に示すように構成することが最良である。しかし、前記実施形態に限定されるものではなく、部材、構成を種々変形したり、組み合わせを変更したりすることもできる。
【００５０】
例えば、ヘルメット１は、キャップＡに顎隠し部材Ｄを設けずに前面開口２が顎の前方まで形成した形式でもよく、また、キャップＡに顎隠し部材Ｄが一体成形された形式でもよい。
【符号の説明】
【００５１】
１        ヘルメット
２        前面開口
３        支軸
３ａ      シールド保持軸部
３ｂ      バイザ嵌着軸部
４        回動案内部材
４ａ      円弧溝
４ｂ      ガイドピン
６        開閉設定手段
７        進退設定手段
８        嵌着機構
９        ロック手段
１１      基板部材
１１ａ    ガイド溝
１２      顎隠し回動手段
Ａ        キャップ
Ａ１      装着部
Ｂ        シールド部材
Ｂ１      シールド取付部
Ｂ２      シールド係合ピン
Ｂ３      円弧孔
Ｃ        バイザ部材
Ｃ１      バイザ取付部
Ｃ２      バイザ係合ピン
Ｃａ      整流部
Ｄ        顎隠し部材
Ｄ１      顎隠し取付部
Ｐ１      シールド部材閉鎖姿勢
Ｐ２      シールド部材開放姿勢
Ｑ１      バイザ部材進出姿勢
Ｑ２      バイザ部材過大回動姿勢
【図１】
0003165674.tif 000003
【図２】
0003165674.tif 000004
【図３】
0003165674.tif 000005
【図４】
0003165674.tif 000006
【図５】
0003165674.tif 000007
【図６】
0003165674.tif 000008
【図７】
0003165674.tif 000009
【図８】
0003165674.tif 000010
【図９】
0003165674.tif 000011
【図１０】
0003165674.tif 000012
【図１１】
0003165674.tif 000013